(57)【特許請求の範囲】
【請求項１】
略前方、上方に屈曲する屈曲面を有する前面板と底板と後面板とから成る軒樋の連結構造であって、前面板の屈曲面の内面側を、その上方の前面板上部と前面板下部または底板とを結ぶ軒樋の長手方向に亘った平坦面とし、同平坦面及び屈曲面の内側に前面板の肉逃がしを兼ねた中空部を設け、同中空部、前面板上端の前耳及び後面板上端の後耳の中空部に連結ピンが挿入され、同連結ピンを介して軒樋同士が連結されると共に、上記前耳および上記後耳には溝が並設されており、底板、前板及び後板を有した内押さえ部材が軒樋の上記底板、上記前面板及び上記後面板の各内面の平坦面にそれぞれ沿うように備えられていて、上記内押さえ部材の上記前板の上端および上記後板の上端とが、軒樋の上記前耳の溝および上記後耳の溝に各々係合されて装着されていることを特徴とする軒樋の連結構造。
【請求項２】
前面板を、複数の屈曲面を設けるとともにそのそれぞれの屈曲面の内側に前面板の肉逃がしを兼ねた中空部を設けて形成し、同中空部の少なくとも１つ、前耳及び後耳の中空部の３箇所に連結ピンを設けてなることを特徴とする請求項１記載の軒樋の連結構造。
【請求項３】
前面板は、その最下部の中空部に連結ピンを設けてなることを特徴とする請求項２記載の軒樋の連結構造。
【発明の詳細な説明】
【０００１】
【発明の属する技術分野】
本発明は、その前面板に略前方、上方に屈曲する複数の屈曲面を有する軒樋の連結構造に関するものである。
【０００２】
【従来の技術】
従来から、建築物の屋根と一体感があって外観の美しい、図５に示す如く、略前方、上方に屈曲する屈曲部Ｂを有する前面板３と底板２と後面板４とから成る軒樋Ａが提案されている。すなわち、この軒樋Ａは、例えば鋼板のような金属板の両面に合成樹脂材料を被覆して形成されて、前面板３が上方へいくにつれて、屋根面と連続するよう後方に傾斜しており、また、前耳Ｄが、前面板上部Ｃの上端から、その上面開口の巾寸法が内部の巾寸法より小さくなるように、斜め下方に向け長手方向にわたって設けられている。
【０００３】
この場合、軒樋Ａを長手方向に接続するときには、対となる一方の軒樋へ他方の軒樋端部を差し込んで接着するか、あるいは、対となる軒樋Ａの端部同士を突き合わせ、図４に示すような、その軒樋Ａの内面に略当接するよう例えば当接片Ｇを有する、合成樹脂材料製で所定長さの継手の内押さえ部材Ｆを上面開口から装着し、軒樋Ａの内面と内押さえ部材Ｆの外面との間に接着剤を介装するとともに、軒樋Ａの外面に略当接するとともに、軒樋Ａの前耳Ｄ及び後耳Ｅに係合する前耳係合部及び後耳係合部を有する外継手Ｈを、上記後面板４上端の後耳Ｅ及び前面板上部上端の前耳Ｄを把持するようにして接着し、接続していた。
【０００４】
【発明が解決しようとする課題】
しかしながら、上記従来の技術においては、軒樋の前面板の屈曲面が、例えば複数あってその形状が複雑な場合、継手の内押さえ部材に、軒樋の内面に略当接するよう例えば上記当接片Ｇのような舌片を設けたり、あるいは内押さえ部材を、その外形形状を軒樋の複雑な内面形状に合致させたりする必要があり、内押さえ部材成型用の金型製作に手間がかかるという問題があった。
【０００５】
また、内押さえ部材の舌片の形状等をその軒樋の内面形状に合致させても、軒樋を製造する際の成型収縮量のバラツキ等によって、その軒樋の内面形状が内押さえ部材に沿わないことがあった。そのため、軒樋内側と内押さえ部材の外面との間に空間が生じ、上記接着剤が十分行きわたらない場合には軒樋同士の接続部分に隙間が生ずることがあった。したがって、その接続部分から雨水が漏れることを防止するために上記のような外継手が欠くことのできないものとなって、接続部分の段差が美観上問題となる場合には、複雑な外面形状の前面板を有する軒樋を設置できないことがあった。
【０００６】
本発明は、上記事由に鑑みてなしたもので、その目的とするところは、内押さえ部材のみを用いて接続部分からの水漏れを無くすことができて、複雑な外面形状の軒樋同士の連結部分の段差を無くすことの可能な軒樋の連結構造を提供することにある。
【０００７】
【課題を解決するための手段】上記目的を達成するために、本発明の軒樋の連結構造にあっては、略前方、上方に屈曲する屈曲面を有する前面板と底板と後面板とから成る軒樋の連結構造であって、前面板の屈曲面の内面側を、その上方の前面板上部と前面板下部または底板とを結ぶ軒樋の長手方向に亘った平坦面とし、同平坦面及び屈曲面の内側に前面板の肉逃がしを兼ねた中空部を設け、同中空部、前面板上端の前耳及び後面板上端の後耳の中空部に連結ピンが挿入され、同連結ピンを介して軒樋同士が連結されると共に、上記前耳および上記後耳には溝が並設されており、底板、前板及び後板を有した内押さえ部材が軒樋の上記底板、上記前面板及び上記後面板の各内面の平坦面にそれぞれ沿うように備えられていて、上記内押さえ部材の上記前板の上端および上記後板の上端とが、軒樋の上記前耳の溝および上記後耳の溝に各々係合されて装着されていることを特徴とする。
【０００８】
この場合、略前方、上方に屈曲する屈曲面を有する前面板と底板と後面板とから成る軒樋は、前面板の屈曲面の内面側を、その上方の前面板上部と前面板下部または底板とを結ぶ軒樋の長手方向に亘った平坦面として設けられている。同平坦面及び屈曲面の内側には、前面板の肉逃がしを兼ねた中空部が設けられている。同中空部、前面板上端の前耳及び後面板上端の後耳の中空部に連結ピンをそれぞれ挿入して、該連結ピンを介して軒樋が連結される。また、軒樋における前耳および後耳に並設された溝に、内押さえ部材の前板の上端および後板の上端とが各々係合されて、軒樋の内面に内押さえ部材が装着される。
【０００９】
そして、上記前面板を、複数の屈曲面を設けるとともにそのそれぞれの屈曲面の内側に前面板の肉逃がしを兼ねた中空部を設けて形成し、同中空部の少なくとも１つ、前耳及び後耳の中空部の３箇所に連結ピンを設けるのが好ましい。
【００１０】
この場合、複数の屈曲面を設けるとともにそのそれぞれの屈曲面の内側に前面板の肉逃がしを兼ねた中空部を設けて形成された前面板の、中空部の少なくとも１つ、前面板上端の前耳及び後面板上端の後耳の中空部に連結ピンをそれぞれ挿入して連結される。
【００１１】
また、上記前面板は、その最下部の中空部に連結ピンを設けるのが好ましい。
【００１２】
この場合、複数の屈曲面を設けてその屈曲面の内側に前面板の肉逃がしを兼ねた中空部を設けて形成された前面板の、最下部の中空部、前面板上端の前耳及び後面板上端の後耳の中空部に連結ピンをそれぞれ挿入して連結される。
【００１３】
【発明の実施の形態】
図１乃至図３は、本発明の請求項１乃至３全てに対応する一実施の形態を示し、図１は、本発明の一実施の形態の軒樋の連結構造の概略構成を示す斜視図である。図２は、同軒樋の連結構造の軒樋を示す断面図である。図３は、同軒樋の連結構造の他の実施例による概略構成図である。
【００１４】
この実施の形態の軒樋の連結構造は、略前方、上方に屈曲する屈曲面３ｂを有する前面板３と底板２と後面板４とから成る軒樋１の連結構造であって、前面板３の屈曲面３ｂの内面側を、その上方の前面板上部３ａと前面板下部３ｅまたは底板２とを結ぶ軒樋の長手方向に亘った平坦面３ｆとし、同平坦面３ｆ及び屈曲面３ｂの内側に前面板３の肉逃がしを兼ねた中空部３ｇを設け、同中空部３ｇ、前面板上端の前耳３ｃ及び後面板上端の後耳４ａの中空部３ｈ、４ｃに連結ピン５をそれぞれ挿入し、同連結ピン５を介して連結してなる。
【００１５】
又、該実施の形態の軒樋の連結構造においては前面板３を、複数の屈曲面３ｂを設けるとともにそのそれぞれの屈曲面３ｂの内側に前面板３の肉逃がしを兼ねた中空部３ｇを設けて形成し、同中空部３ｇの少なくとも１つ、前耳３ｃ及び後耳４ａの中空部の３箇所に連結ピン５を設けてもいる。又、該実施の形態の軒樋の連結構造においては、前面板３は、その最下部の中空部３ｇに連結ピン５を設けてもいる。
【００１６】
詳しくは、軒樋１は、例えば図２に示すような、上方に上面開口１ａを有する断面大略コ字状であって、この場合、対となる軒樋１の端部同士を突き合わせて連結ピン５にて連結し、その内面に略当接する所定長さの継手である内押さえ部材６を上面開口１ａから装着し、軒樋１の内面と内押さえ部材６の外面との間に接着剤を介装して接着し接続される。
【００１７】
この軒樋１は、鋼板のような金属板の両面に合成樹脂材料を被覆して押し出し成形にて形成され、前面板３が、底板２前端のその前面板下部３ｅから前方へいくように傾斜して略階段状に立ち上がり、前面板上部３ａが後方に傾斜するように途中で屈曲しており、また、この前面板上部３ａ上端には前耳３ｃが斜め後方に垂下し形成されている。また、後面板４は、底板２後端から上方へ向けて立ち上がり、この後面板４上端には、後耳４ａが後面板４前方へ向け突出して形成されている。
【００１８】
前面板３には、この場合、前面板３を流下する雨水の水切りを行うための、意匠を兼ねた、略前方、上方に階段状に屈曲する屈曲面３ｂが複数設けられている。なお、この屈曲面３ｂの角部には、水切りを確実に行うための垂下片を設けても良い。また、屈曲面３ｂの内面側には、前面板下部３ｅから前方へいくように傾斜して、前面板下部３ｅと前面板上部３ａとを連結するように平坦面３ｆが設けられており、屈曲面３ｂと平坦面３ｆとの間の合成樹脂材料の肉厚部に、肉逃がしを兼ねた、後述する連結ピン５の挿入される中空部３ｇが複数設けられている。
【００１９】
中空部３ｇは、円孔で軒樋１長手方向にわたって設けられ、この場合、前耳３ｃ及び後耳４ａにも同様の中空部３ｈ、４ｃが設けられている。この中空部３ｇ、３ｈ、４ｃは、軒樋１の押し出し成型時に同時に形成される。
【００２０】
連結ピン５は、軒樋１同士を連結する部材で、例えば合成樹脂材あるいは金属材による丸形の条材を所定の長さに切断して形成される。この連結ピン５の丸形の外径寸法は、上記中空部３ｇ、３ｈ、４ｃの円孔の内径寸法と略等しい大きさをもっており、該中空部３ｇ、３ｈ、４ｃにその両端が圧入されて使用されるが、その中間部分に圧入代の目印となる刻部を形成しても良い。
【００２１】
また、内押さえ部材６は、合成樹脂材料製で、上記軒樋１の底板２、前面板３及び後面板４の内面の平坦面にそれぞれ沿うように、底板６ａ、前板６ｂ及び後板６ｃを有しており、この場合、前板６ｂの上端と後板６ｃの上端とが、軒樋１の前耳３ｃ及び後耳４ａに並設されている、溝３ｄ、４ｂに係合するようになっており、軒樋１の上面開口１ａから装着することでその端部の僅かな変形を修正させ接続することができる。この内押さえ部材６は、押し出し成形後、所定長さに切断され形成されているが、射出成型あるいは板材を加熱加工するなど各種加工方法にて形成することができる。
【００２２】
上記の軒樋の連結構造においては、まず、図１に示すように、平坦面３ｆ及び屈曲面３ｂ、３ｂ、３ｂの内側に前面板３の肉逃がしを兼ねた中空部３ｇ、前面板３上端の前耳３ｃ及び後面板４上端の後耳４ａの中空部４ｃに連結ピン５、５、５をそれぞれ挿入して、該連結ピン５を介して直線状に連結される。次いで、従来の技術の項にて示したものと同じく、上記内押さえ部材６を上面開口１ａから装着し、軒樋１の内面と内押さえ部材６の外面との間に接着剤を介装させ、接続する。このとき、屈曲面３ｂ、３ｂ、３ｂをもった複雑形状の前面板３と内押さえ部材６の前板６ｂとは、それぞれの平坦面同士を確実に密着させて接続することができるので、外継手を使用しなくてもその接続部分から雨水が漏れることを防止できるのである。なお、上記の複数の屈曲面３ｂを設けてその屈曲面３ｂの内側に前面板３の肉逃がしを兼ねた中空部３ｇが複数形成されているが、前面板３の、最下部の中空部３ｇ、前面板上端の前耳３ｃ及び後面板４上端の後耳４ａの中空部３ｈ、４ｃに連結ピン５、５、５をそれぞれ挿入させ、３点によって確実に位置決めされて連結することができる。
【００２３】
したがって、以上説明した軒樋の連結構造によると、略前方、上方に屈曲する屈曲面３ｂを有する前面板３と底板２と後面板４とから成る軒樋１は、前面板３の屈曲面３ｂの内面側を、その上方の前面板上部３ａと前面板下部３ｅまたは底板２とを結ぶ軒樋の長手方向に亘った平坦面３ｆとして、同平坦面３ｆ及び屈曲面３ｂの内側に前面板３の肉逃がしを兼ねた中空部３ｇを設けて形成された、その中空部３ｇ、前面板３上端の前耳３ｃ及び後面板４上端の後耳４ａの中空部３ｈ、４ｃに連結ピン５をそれぞれ挿入して、該連結ピン５を介して連結されるので、内押さえ部材６のみを用いて接続部分からの水漏れを無くすことができ、以て、複雑な外面形状の軒樋１同士の連結部分の段差を無くすことができる。
【００２４】
そして、複数の屈曲面３ｂを設けるとともにそのそれぞれの屈曲面３ｂの内側に前面板３の肉逃がしを兼ねた中空部３ｇを設けて形成された前面板３の、中空部３ｇの少なくとも１つ、前面板３上端の前耳３ｃ及び後面板４上端の後耳４ａの中空部３ｈ、４ｃに連結ピン５をそれぞれ挿入して連結されるので、３点によって確実に位置決めさせ連結することができる。また、上記前面板の最下部の中空部３ｇ、前面板３上端の前耳３ｃ及び後面板４上端の後耳４ａの中空部３ｈ、４ｃに連結ピン５をそれぞれ挿入して連結されるので、より離れた３点によってより確実に位置決めさせ連結することができて、連結部分の外観の段差がより少なく、美観上優れる。
【００２５】
なお、本発明は、上記にて説明されたもの以外に、図３に示すように、前面板３の屈曲面３ｂの内面側を、その上方の前面板上部３ａと前面板下部３ｅまたは底板２とを結ぶ軒樋１の長手方向に亘った平坦面３ｆとし、同平坦面３ｆ及び屈曲面３ｂの内側に前面板３の肉逃がしを兼ねた中空部３ｇを設け、同中空部３ｇ、前面板３上端の前耳３ｃ及び後面板４上端の後耳４ａの中空部３ｈ、４ｃに、軒樋１外面と略同一の外面をもった所定長さの継手７両端に設けられた連結ピン５、５をそれぞれ挿入し、同連結ピン５及び継手７を介して連結するものを含む。この場合、継手７より長い所定長さの内押さえ部材８を継手７の上面開口から装着し、継手７及び軒樋１の内面と内押さえ部材８の外面との間に接着剤を介装させ、接続する。
【００２６】
【発明の効果】本発明の軒樋の連結構造は、上述の実施態様の如く実施されて、略前方、上方に屈曲する屈曲面を有する前面板と底板と後面板とから成る軒樋は、前面板の屈曲面の内面側を、その上方の前面板上部と前面板下部または底板とを結ぶ軒樋の長手方向に亘った平坦面で形成されている。また、同平坦面及び屈曲面の内側に、前面板の肉逃がしを兼ねた中空部が設けられていて、その中空部、前面板上端の前耳及び後面板上端の後耳の中空部に連結ピンがそれぞれ挿入されて、該連結ピンを介して軒樋が連結されるので、外継手を使用しなくてもその接続部分から雨水が漏れることを防止できて、内押さえ部材のみを用いて接続部分からの水漏れを無くすことができ、以て、複雑な外面形状の軒樋同士の連結部分の段差を無くすことができる。
【００２７】
そして、複数の屈曲面を設けるとともにそのそれぞれの屈曲面の内側に前面板の肉逃がしを兼ねた中空部を設けて形成された前面板の、中空部の少なくとも１つ、前面板上端の前耳及び後面板上端の後耳の中空部に連結ピンをそれぞれ挿入して連結されるので、３点によって確実に位置決めさせ連結することができる。
【００２８】
また、複数の屈曲面を設けてその屈曲面の内側に前面板の肉逃がしを兼ねた中空部を設けて形成された前面板の、最下部の中空部、前面板上端の前耳及び後面板上端の後耳の中空部に連結ピンをそれぞれ挿入して連結されるので、より離れた３点によってより確実に位置決めさせ連結することができて、連結部分の外観の段差がより少なく、美観上優れる。
【００２９】
【図面の簡単な説明】
【図１】本発明の一実施形態である軒樋の連結構造の概略構成を示す斜視図である。
【図２】同軒樋の連結構造の軒樋を示す断面図である。
【図３】同軒樋の連結構造の他の実施例による概略構成図である。
【図４】本発明の従来例である軒樋の連結構造を示す断面図である。
【図５】同軒樋の連結構造の軒樋を示す断面図である。
【符号の説明】
１    軒樋
２    底板
３    前面板
３ａ  前面板上部
３ｂ  屈曲面
３ｃ  前耳
３ｅ  前面板下部
３ｆ  平坦面
３ｇ  中空部
３ｈ  中空部
４    後面板
４ａ  後耳
４ｃ  中空部
５    連結ピン
【図１】
0003552578.tif 000002
【図２】
0003552578.tif 000003
【図３】
0003552578.tif 000004
【図４】
0003552578.tif 000005
【図５】
0003552578.tif 000006